(57)【要約】【課題】非常に強いテレビ放送電波が混在する特殊な地域においても、各テレビ放送電波の受信信号レベルを最適値に調整して歪みの発生を防止する。【解決手段】アンテナ１１の受信信号を強いテレビ放送電波の信号を通過させる第１のフィルタ１４及び上記強いテレビ放送電波以外の帯域の信号を通過させる第２のフィルタ１５に入力する。第１のフィルタ１４の出力信号は、ＡＧＣ回路１６でレベルを調整した後、第２のフィルタ１５の出力信号と合成し、アッテネータ２１を介して高周波増幅器２２に入力する。歪み検知回路３０は、高周波増幅器２２の出力信号から設定帯域内に発生する歪成分と相関のある歪成分を含む設定帯域外の信号をローパスフィルタ３２を介して取り出し、検波器３３により検波して表示駆動回路３４に入力する。表示駆動回路３４は、検波出力が基準電圧以上となったときに発光ダイオード３５を発光駆動し、歪みの発生を表示する。【選択図】    図１
2006013600.tif 000002
【特許請求の範囲】
【請求項１】
アンテナにより受信されるテレビ放送波に対し、非常に強いテレビ放送波の信号帯域を選択する第１のフィルタと、前記アンテナにより受信されるテレビ放送波に対し、前記非常に強いテレビ放送波以外の帯域を選択する第２のフィルタと、前記第１のフィルタにより選択された信号のレベルを前記第２のフィルタにより選択された信号のレベルにほぼ等しくなるように調整するＡＧＣ回路と、前記ＡＧＣ回路と第２のフィルタの出力信号を合成する合成手段と、前記合成手段により合成された信号のレベルを調整する信号レベル調整器と、前記信号レベル調整器で調整された信号を増幅する高周波増幅器と、前記高周波増幅器により増幅されたテレビ放送波を選択して出力する第３のフィルタと、前記高周波増幅器において発生する歪み成分を選択して取り出す第４のフィルタと、前記第４のフィルタにより選択された歪み成分を検波して直流成分に変換する検波器と、前記検波器の出力信号に基づいて歪みの発生を表示する表示部とを具備したことを特徴とする高周波増幅装置。
【発明の詳細な説明】
【技術分野】
【０００１】
本発明は、アンテナで受信したテレビ放送電波を増幅してテレビ受像機に入力する高周波増幅装置に関する。
【背景技術】
【０００２】
従来、一般家庭におけるテレビ受像機あるいは共聴用テレビ受信システムにおいては、受信信号の信号レベルが低い場合、高周波増幅装置（ブースタ）を使用して受信信号を増幅している（例えば、特許文献１参照。）。
【０００３】
上記高周波増幅装置では、アンテナで受信した信号のレベルが高く、増幅後の出力レベルが増幅器の性能以上になると非直線歪によって歪成分が発生し、自チャンネルまたは他チャンネルの映像または音声信号に対して妨害を与えることになる。このような歪発生に伴う妨害を防止するため、従来の高周波増幅装置は、信号レベル調整器を備え、入力信号のレベルを調整できるようにしている。
【０００４】
図３は、従来の高周波増幅装置の構成例を示したものである。図３において、１は例えばＶＨＦ帯、ＵＨＦ帯のテレビ放送電波を受信するアンテナで、このアンテナ１で受信したテレビ放送波を高周波増幅装置２の入力端子３に入力する。上記高周波増幅装置２は、信号レベル調整器４及び高周波増幅器５を備え、上記入力端子３に入力された信号を信号レベル調整器４で調整して高周波増幅器５に入力する。高周波増幅器５は、信号レベル調整器４で調整された信号を増幅し、出力端子６よりテレビ受像機に出力する。
【０００５】
上記高周波増幅装置２を受信アンテナとテレビ受像機との間に設置した場合、作業者はテレビ受像機における映像及び音声に妨害が出ていないことや出力レベルを確認しながら信号レベル調整器４を手動調整する。
【特許文献１】実開昭５７−２７４１号公報
【発明の開示】
【発明が解決しようとする課題】
【０００６】
上記のように高周波増幅器５の入力信号レベルを信号レベル調整器４により最適値に設定することにより、歪成分の発生に伴う映像及び音声に対する妨害を防止することができる。
【０００７】
しかし、テレビ放送電波を受信する地域においては、非常に強いテレビ放送電波例えば他のテレビ放送電波に対して２０ｄＢ以上のレベル差のあるテレビ放送電波が混在する特殊な地域が存在する。このような非常に強いテレビ放送電波が混在する特殊な地域においては、上記強いテレビ放送電波の受信信号レベルを信号レベル調整器４により最適値に調整すると、他のテレビ放送電波のレベルが非常に低くなり、ノイズが増大して画像の品質が低下するという問題がある。また、他の弱いレベルのテレビ放送電波に対して受信信号レベルが最適値となるように信号レベル調整器４を調整すると、上記非常に強いテレビ放送電波の影響により高周波増幅器５において歪みが発生し、テレビ画面にビートなどの障害が発生してしまう。
【０００８】
本発明は上記の課題を解決するためになされたもので、非常に強いテレビ放送電波が混在する特殊な地域においても、各テレビ放送電波の受信信号レベルを最適値に調整でき、歪み成分を減少させて映像または音声に対する妨害を確実に防止し得る高周波増幅装置を提供することを目的とする。
【課題を解決するための手段】
【０００９】
本発明に係る高周波増幅装置は、アンテナにより受信されるテレビ放送波に対し、非常に強いテレビ放送波の信号帯域を選択する第１のフィルタと、前記アンテナにより受信されるテレビ放送波に対し、前記非常に強いテレビ放送波以外の帯域を選択する第２のフィルタと、前記第１のフィルタにより選択された信号のレベルを前記第２のフィルタにより選択された信号のレベルにほぼ等しくなるように調整するＡＧＣ回路と、前記ＡＧＣ回路と第２のフィルタの出力信号を合成する合成手段と、前記合成手段により合成された信号のレベルを調整する信号レベル調整器と、前記信号レベル調整器で調整された信号を増幅する高周波増幅器と、前記高周波増幅器により増幅されたテレビ放送波を選択して出力する第３のフィルタと、前記高周波増幅器において発生する歪み成分を選択して取り出す第４のフィルタと、前記第４のフィルタにより選択された歪み成分を検波して直流成分に変換する検波器と、前記検波器の出力信号に基づいて歪みの発生を表示する表示部とを具備したことを特徴とする。
【発明の効果】
【００１０】
本発明によれば、非常に強いテレビ放送波が混在する特殊な地域においても、非常に強いテレビ放送波のみを第１のフィルタにより選択し、ＡＧＣ回路で他のテレビ放送波の信号レベルとほぼ同じレベルに調整することにより、高周波増幅器に入力される各テレビ放送波の信号レベルをほぼ同じレベルに揃えることができる。このため高周波増幅器に入力される各テレビ放送波の信号レベルを信号レベル調整器により適性レベルに揃えることができ、歪み成分を減少させて映像または音声に対する妨害を確実に防止することができる。
【発明を実施するための最良の形態】
【００１１】
以下、図面を参照して本発明の一実施形態を説明する。  
図１は、本発明の一実施形態に係る高周波増幅装置の構成を示すブロック図である。
【００１２】
図１において、１１は例えばＶＨＦ帯、ＵＨＦ帯のテレビ放送電波を受信するアンテナで、このアンテナ１１で受信された信号は、非常に強いテレビ放送電波の信号帯域を選択する第１のフィルタ１４、及びその他の通常レベルのテレビ放送電波の信号帯域を選択する第２のフィルタ１５に入力される。上記非常に強いテレビ放送電波は、他のテレビ放送電波に対して例えば２０ｄＢ以上のレベル差を有している。上記第１のフィルタ１４及び第２のフィルタ１５の周波数特性は、各地域におけるテレビ放送電波の信号レベル、周波数帯等を考慮して設定する。
【００１３】
今、例えば図２に示すように帯域Ａに強いテレビ放送電波が存在し、上記帯域Ａより低い帯域Ｂ、及び帯域Ａより高い帯域Ｃにそれぞれ弱いテレビ放送電波が存在する場合、第１のフィルタ１４は帯域Ａの信号を選択して通過させる特性のフィルタを使用し、第２のフィルタ１５は、帯域Ａの信号を阻止し、帯域Ｂ、Ｃの信号を通過させる特性のフィルタを使用する。
【００１４】
上記第１のフィルタ１４の出力信号は、ＡＧＣ回路１６に入力されて信号レベルが調整された後、第２のフィルタ１５の出力信号と合成される。上記ＡＧＣ回路１６は、信号レベル調整器例えばアッテネータ１７、分岐器１８、検波器１９及びレベル制御回路２０により構成される。上記第１のフィルタ１４の出力信号は、アッテネータ１７により信号レベルが調整され、その後、分岐器１８により信号の一部が分岐されて検波器１９に入力される。検波器１９は、分岐器１８により分岐された信号を検波して直流信号に変換し、レベル制御回路２０に入力する。レベル制御回路２０は、検波器１９により検波された信号に基づいてアッテネータ１７を制御し、分岐器１８の出力信号レベルが設定レベル以上にならないようにする。すなわち、レベル制御回路２０は、検波器１９の検波出力レベルが大きいときはアッテネータ１７の減衰量を大きくし、検波器１９の検波出力レベルが小さいときはアッテネータ１７の減衰量を小さくして、分岐器１８の出力信号レベルが設定レベル以上にならないようにする。上記ＡＧＣ回路１６は、アッテネータ１７から分岐器１８を介して出力される信号のレベルが第２のフィルタ１５から出力される信号のレベルにほぼ等しくなるように設定する。
【００１５】
そして、上記アッテネータ１７から分岐器１８を介して出力される信号と第２のフィルタ１５の出力信号が合成されてアッテネータ２１に入力される。このアッテネータ２１は、例えば手動により減衰量を調整するもので、その出力信号は高周波増幅器２２に入力される。
【００１６】
上記高周波増幅器２２は、例えばＡ級増幅回路を使用したもので、アッテネータ２１で調整された信号例えば１〜１２チャンネルのＶＨＦテレビ放送（９０〜１０８ＭＨｚ、１７０〜２２２ＭＨｚ）、更にＵＨＦテレビ放送（４７０〜７７０ＭＨｚ）の信号を増幅する。この高周波増幅器２２で増幅されたテレビ放送波は、例えば９０ＭＨｚ以上の周波数の信号を通過させるハイパスフィルタ（ＨＰＦ）２３により選択され、出力端子２４より同軸ケーブルを介してテレビ受像機（図示せず）へ送られる。
【００１７】
また、上記高周波増幅器２２の出力側には、歪み検知回路３０が設けられる。この歪み検知回路３０は、高周波増幅器２２の出力側に分岐器３１を設けて出力信号の一部を分岐し、高周波増幅器２２から出力される信号のうち、設定帯域内すなわちＶＨＦ帯とＵＨＦ帯に発生する歪成分と相関のある歪成分を含む設定帯域外の信号をフィルタ例えば４０ＭＨｚ以下の周波数の信号を通過させるローパスフィルタ（ＬＰＦ）３２を介して取り出す。このローパスフィルタ３２の出力信号は、検波器３３により検波され、直流信号に変換されて表示駆動回路３４に入力される。この表示駆動回路３４は、上記検波器３３の出力信号と基準電圧源（図示せず）から与えられる基準電圧とを比較し、検波器３３の出力信号が基準電圧以上となったときに表示器例えば発光ダイオード（ＬＥＤ）３５を発光駆動する。
【００１８】
上記の構成において、アンテナ１１によりテレビ放送電波が受信されると、図２に示す帯域Ａの強いテレビ放送波は第１のフィルタ１４により選択されてＡＧＣ回路１６に入力され、その信号レベルがアッテネータ１７により、他の弱いテレビ放送電波のレベルとほぼ同じ信号レベルまで減衰される。このアッテネータ１７で調整されたテレビ放送波は、分岐器１８よりアッテネータ２１を介して高周波増幅器２２に入力される。
【００１９】
一方、アンテナ１１により受信された弱いレベルのテレビ放送波、すなわち図２に示す強いテレビ放送波（帯域Ａ）以外の帯域Ｂ、Ｃに存在するテレビ放送波は第２のフィルタ１５により選択され、そのままアッテネータ２１を介して高周波増幅器２２に入力される。
【００２０】
上記のようにアンテナ１１により受信されたテレビ放送電波のうち、強いテレビ放送波のみが第１のフィルタ１４により選択され、ＡＧＣ回路１６に入力されてレベル調整される。この結果、強いテレビ放送波は、他の弱いテレビ放送波のレベルとほぼ同じ信号レベルとなり、アッテネータ２１を介して高周波増幅器２２に入力される。
【００２１】
高周波増幅器２２は、上記アッテネータ２１を介して入力されたテレビ放送波を増幅し、ハイパスフィルタ２３を介して出力端子２４からテレビ受像機に出力する。
【００２２】
上記高周波増幅器２２の非直線歪によって例えば２波のテレビ受信信号による３次歪が発生するが、アッテネータ２１から出力される信号のレベルが大き過ぎて映像または音声の妨害が発生している場合には、この３次歪と相関関係にある２次歪が発生する。上記３次歪はテレビ信号の帯域内で発生するが、２次歪はテレビ信号の帯域より低い周波数、例えば４０ＭＨｚ以下の帯域に発生するものがある。
【００２３】
歪み検知回路３０は、上記高周波増幅器２２から出力される信号のうち、４０ＭＨｚ以下の歪成分例えば２次歪成分をローパスフィルタ３２を介して取り出し、検波器３３で検波して直流成分に変換し、表示駆動回路３４に入力する。表示駆動回路３４は、検波器３３の出力信号を基準電圧と比較し、検波出力が基準電圧以上である場合、すなわち、歪み成分が設定レベルを超える場合に発光ダイオード３５を発光駆動する。
【００２４】
上記発光ダイオード３５が発光している場合は、アッテネータ２１から出力される信号のレベルが大き過ぎて映像または音声に対して妨害が発生している状態であるので、アッテネータ２１を調整して高周波増幅器２２の入力信号レベルを下げ、発光ダイオード３５を消灯させる。発光ダイオード３５が消灯した状態では、高周波増幅器２２の入力信号が適性レベルとなり、歪み成分が減少して映像または音声への妨害が無い状態となる。
【００２５】
上記実施形態で示したように非常に強いテレビ放送波が混在する特殊な地域においても、強いテレビ放送波のみを第１のフィルタ１４により選択し、ＡＧＣ回路１６で他の弱いテレビ放送波の信号レベルとほぼ同じレベルに調整することにより、高周波増幅器２２に入力される各テレビ放送波の信号レベルをほぼ同じレベルに揃えることができる。このため高周波増幅器２２に入力される各テレビ放送波の信号レベルをアッテネータ２１により適性レベルに揃えることができ、歪み成分を減少させて映像または音声に対する妨害を確実に防止することができる。また、高周波増幅器２２の入力信号レベルをアッテネータ２１で非常に強いテレビ放送波に合わせて調整し、他の弱いテレビ放送波の入力レベルが低下してノイズが増大するということもなく、各テレビ放送波に対する画像を高品質に保つことができる。
【００２６】
なお、上記実施形態では、ＶＨＦ帯及びＵＨＦ帯のテレビ放送電波を増幅する高周波増幅装置について説明したが、ＵＨＦ帯のテレビ放送電波だけを増幅する高周波増幅装置に適用しても良いことは勿論である。
【００２７】
また、各地域のテレビ放送電波の受信条件に応じて、ＵＨＦ帯内の一部の帯域のみを受信するように設定した高周波増幅装置に対しても、上記実施形態と同様に実施し得るものである。
【図面の簡単な説明】
【００２８】
【図１】本発明の一実施形態に係る高周波増幅装置の構成例を示すブロック図である。
【図２】同実施形態における特定地域におけるテレビ放送電波の強度の一例を示す図である。
【図３】従来の高周波増幅装置の構成例を示すブロック図である。
【符号の説明】
【００２９】
１１…アンテナ、１４…第１のフィルタ、１５…第２のフィルタ、１６…ＡＧＣ回路、１７…アッテネータ、１８…分岐器、１９…検波器、２０…レベル制御回路、２１…アッテネータ、２２…高周波増幅器、２３…イパスフィルタ、２４…出力端子、３０…歪み検知回路、３１…分岐器、３２…ローパスフィルタ、３３…検波器、３４…表示駆動回路、３５…発光ダイオード。
【図１】
2006013600.tif 000003
【図２】
2006013600.tif 000004
【図３】
2006013600.tif 000005